(57)【要約】【課題】  把持するハサミ部の軽量化を図り、剪定作業の疲労度を軽減すると共に、剪定対象に応じて、手動での作業と動力での作業を使い分けることができる効率的な動力式剪定ハサミを提供することを課題とする。【解決手段】  固定刃４を有するハサミ本体５と、ハサミ本体５に回動可能に支持された可動刃６とを有し、把持可能なハサミ部１と、駆動部２と、駆動部２の動力を上記ハサミ部１の可動刃６に伝達する伝達部３とからなる動力式剪定ハサミにおいて、上記ハサミ部１は、可動刃６を回動すべく連結された操作レバー７を有し、上記伝達部３は、柔軟性のある支持部材１４と、支持部材１４に沿って移動自在に配置されたワイヤー１５からなるワイヤー部９と、上記駆動部２の動きをワイヤー１５を介して可動刃６に伝える連動部８とからなり、上記伝達部３の連動部８は、上記操作レバー７に連結されている。【選択図】図１
0003153170.tif 000002
【実用新案登録請求の範囲】
【請求項１】
固定刃を有するハサミ本体と、ハサミ本体に回動可能に支持された可動刃とを有し、把持可能なハサミ部と、
駆動部と、駆動部の動力を上記ハサミ部の可動刃に伝達する伝達部とからなる動力式剪定ハサミにおいて、
上記ハサミ部は、可動刃を回動すべく連結された操作レバーを有し、
上記伝達部は、柔軟性のある支持部材と、支持部材に沿って移動自在に配置されたワイヤーからなるワイヤー部と、上記駆動部の動きをワイヤーを介して可動刃に伝える連動部とからなり、
上記伝達部の連動部は、上記操作レバーに連結されていることを特徴とする動力式剪定ハサミ。
【請求項２】
上記ハサミ部には上記操作レバーに関連付けてスイッチが設けられており、スイッチの作動に応じて上記駆動部を作動させ、伝達部の連動部を介して可動刃を作動させることを特徴とする、請求項１に記載の動力式剪定ハサミ。
【考案の詳細な説明】
【技術分野】
【０００１】  本考案は、枝木の剪定作業等に用いられる剪定ハサミに関し、特に、動力を用いて切断作業を容易化するための電動モータ等を使用した動力式剪定ハサミに関する。
【背景技術】
【０００２】  枝木の剪定作業等に用いられる剪定ハサミは、切断作業を容易化するための動力を利用した動力式剪定ハサミが知られている。【０００３】  特許文献１には、把持するハサミ部と駆動部が一体で構成されているため、かなりの重量となり、頭上にある葡萄等の枝木の剪定作業に際し、手を上げた状態での長時間の作業となり、腕が疲れ、肩こりなどの症状を引き起こしていた。【０００４】  特許文献１の上記問題を解決するために特許文献２には、駆動部とハサミ部を別々に構成し、駆動部の動力を上記ハサミ部の可動刃に伝達する伝達部からなり、把持するハサミ部を軽量化した技術が示されている。【０００５】
【特許文献１】特開２００５−２２４１２２号公報
【特許文献２】特開２００８−４８６６９号公報
【０００６】
【考案の概要】
【考案が解決しようとする課題】
【０００７】  しかしながら、上記従来の動力式剪定ハサミは、駆動部とハサミ部を別々に構成し、把持するハサミ部を軽量化してはいるが、ハサミ部の可動刃を動かせるための手段を全て駆動部の動力のみによって行っているため、細い枝であっても動力を使用しなければならず、経済的でない。また、太い枝に対して動力だけで切るための大きなトルクの駆動源が必要である。【０００８】  本考案は上記問題点に鑑みてなされたものであり、把持するハサミ部の軽量化を図り、剪定作業の疲労度を軽減すると共に、剪定対象に応じて、手動での作業と動力での作業を使い分けることができる効率的な動力式剪定ハサミを提供することを課題とする。
【課題を解決するための手段】
【０００９】  上記課題を解決するため、請求項１に係る考案は、固定刃を有するハサミ本体と、ハサミ本体に回動可能に支持された可動刃とを有し、把持可能なハサミ部と、駆動部と、駆動部の動力を上記ハサミ部の可動刃に伝達する伝達部とからなる動力式剪定ハサミにおいて、上記ハサミ部は、可動刃を回動すべく連結された操作レバーを有し、
上記伝達部は、柔軟性のある支持部材と、支持部材に沿って移動自在に配置されたワイヤーからなるワイヤー部と、上記駆動部の動きをワイヤーを介して可動刃に伝える連動部とからなり、上記伝達部の連動部は、上記操作レバーに連結されていることを特徴とする。【００１０】  請求項２に係る考案は、上記ハサミ部には上記操作レバーに関連付けてスイッチが設けられており、スイッチの作動に応じて上記駆動部を作動させ、伝達部の連動部を介して可動刃を作動させることを特徴とする。
【考案の効果】
【００１１】  以上説明したように、請求項１の考案によれば、把持するハサミ部において、通常の手作業だけのハサミとほぼ同様の重さにて構成することができるため、頭上にある葡萄等の枝木の剪定作業に際し、手を上げた状態での長時間の作業も可能となり、腕が疲れ、肩こりなどの症状を軽減することができる。また、細い枝は、動力を使うことなく、手動だけで作業することができ、省電力化が図れる。さらに、太い枝については、動力を利用することができると共に、さらに人の握る力を加えることができ、小さな動力、例えば、電動モータの容量を低く抑えることができる。【００１２】  請求項２に係る考案によれば、上記ハサミ部には上記操作レバーに関連付けてスイッチが設けられており、操作レバーを握りつつ、スイッチを操作することにより、上記駆動部を作動させ、伝達部の連動部を介して可動刃を作動させることができる。
【図面の簡単な説明】
【００１３】
【図１】本考案の動力式剪定ハサミの概略側面図である。
【図２】本考案の動力式剪定ハサミのハサミ部と駆動部の一部の分解斜視図である。
【図３】本考案の動力式剪定ハサミのハサミ部を閉じた状態の概略側面図である。
【図４】本考案の動力式剪定ハサミの他の実施例の概略側面図である。
【考案を実施するための形態】
【００１４】  以下に、本考案の一実施例について、図１、図２、及び図３に基づいて説明する。図１は本考案の動力式剪定ハサミと駆動部の一部の概略側面図であり、図２は同ハサミ部と駆動部の一部の分解斜視図であり、図３は同ハサミ部が閉じた状態の概略側面図である。
【実施例】
【００１５】  図１において、動力式剪定ハサミは、把持可能なハサミ部１と、駆動部２と、駆動部２の動力を上記ハサミ部１に伝達する伝達部３からなる。【００１６】  ハサミ部１は、固定刃４を有するハサミ本体５と、ハサミ本体５に軸６ｂを支点として、回動可能に支持された可動刃６とを有している。可動刃６には更に刃部６ａを固定刃４の刃部４ａに対し接離自在に移動させるアーム部６ｃを有している。【００１７】  上記ハサミ本体５は操作レバー７を有し、操作レバー７は、可動刃６と同様に軸６ｂを支点としてハサミ本体５に回動自在に支持されている。【００１８】  伝達部３は、連動部８とワイヤー部９からなる。
連動部８は、ハサミ本体５に軸５ａを支点として一端が回動自在に支持された第１連動部材１０と、操作レバー７に軸７ａを支点として一端が回動可能に支持された第２連動部材１１と、可動刃６のアーム部６ｃに軸６ｄを支点として一端が回動可能に支持された第３連動部材１２とからなる。【００１９】  第１連動部材１０の他端と、第２連動部材１１の他端と、第３連動部材１２の他端は、夫々回動可能に軸１３に支持されている。【００２０】  ワイヤー部９は、柔軟性のある支持部材１４と、支持部材１４に沿って移動自在に配置されたワイヤー１５からなり、支持部材１４は、一端が後述する駆動部２に固定され、他端がハサミ部１のハサミ本体５の固定部５ｂに固定され、柔軟性のある中空のケーブルである。柔軟性のある中空の支持部材１４の内部には鋼線製の上記ワイヤー１５が移動自在に挿通され、一端が後述する駆動部２の駆動機構に、他端１５ａは上記軸１３に回動自在に支持されている。ワイヤー１５の他端１５ａとハサミ本体５の固定部５ｂの間には、ワイヤー１５をその中に挿通するバネ部材１６が設けられている。【００２１】  駆動部２は、交流電源又はバッテリーで作動する電動モータ２０と、電動モータ２０を支持し、ワイヤー部９の支持部材１４の一端が固定されたケース部２１とからなり、電動モータ２０にはその駆動を出力するネジ軸２２と、ネジ軸２２と対となるナット部材２３からなり、ナット部材２３には上記ワイヤー１５の一端が固定されており、上記ネジ軸２２に沿って移動自在のナット部材２３の移動によって支持部材１４内をワイヤー１５が移動する。【００２２】  上記ハサミ部１の操作レバー７にはスイッチ２５が固定されており、スイッチ２５は操作レバー７を把持しつつ、指にて作動できる位置に配置されている。スイッチ２５には信号線２６がワイヤー部９の支持部材１４に沿って配置され、駆動部２内の制御装置（図示せず）に繋がっている。【００２３】  次に、上記構成の動力式剪定ハサミの作用について説明する。【００２４】  図１はハサミ部１が開いた状態であり、図３はハサミ部１が閉じた状態であり、ハサミ部１を手に持ち、ハサミ部本体５を親指側に、操作レバー７を残る人差し指、中指、薬指、及び小指に添え、固定刃４の刃部４ａと可動刃６の刃部６ａとの間に対象となる枝を挟み、操作レバー７を中指、薬指、及び小指を握ることにより連動部８を介して可動刃６のアーム部６ｃを作動させ、手動だけによって枝を切ることができる。【００２５】  また、ハサミ部本体５を親指側に、操作レバー７を中指、薬指、及び小指に添えた状態にて人差し指により、スイッチ２５を押えることにより、駆動部２の電動モータ２０のネジ軸２２が回転し、ナット部材２３が駆動モータ２０側に移動し、連動部８を介して可動刃６を回動させる。具体的には、ハサミ部１の連動部８の軸１３が引かれ、第１連動部材１０を介し、可動刃６のアーム部６ｃを作動させ、可動刃６の刃部６ａを固定刃４の刃部４ａに近づけ、動力源である電動モータ２０の力で枝を切ることができる。【００２６】  スイッチ２５を離すことによって、駆動部２の電動モータ２０が逆回転し、可動刃６のアーム部６ｃを逆に移動させ、可動刃６の刃部６ａを固定刃４の刃��４ａから離すことができる。【００２７】  尚、上記手動によって操作レバー７を操作した場合、図３に示すとおり、軸１３に繋がれたワイヤー１５の他端１５ａ側は、ハサミ部１のハサミ本体５の固定部５ｂの間で撓むことにより、駆動部２が不作動でも使用が可能となる。この構成でなく、ワイヤー１５の直径に対し、支持部材１４の内径が大きく撓むようにすれば同様の効果がある。【００２８】図４は、本考案の動力式剪定ハサミの他の実施例の概略側面図であり、図１〜図３の実施例とは、操作レバー７の支点位置と連動部の構成が異なり、同様部分には同じ番号を付す。【００２９】  操作レバー７は、可動刃６の軸６ｂとは異なった軸７ｂを支点としてハサミ本体５に回動自在に支持されている。【００３０】  連動部２８は、ハサミ本体５に軸５ａを支点として一端が回動自在に支持された第１連動部材３０と、操作レバー７に軸７ａを支点として一端が回動可能に支持され、他端が可動刃６のアーム部６ｃの軸６ｄに回動可能に支持された第２連動部材３１と、可動刃６のアーム部６ｃに軸６ｄを支点として一端が回動可能に支持された第３連動部材３２とからなる。【００３１】  第１連動部材３０の他端と、第３連動部材３２の他端は、夫々回動可能に軸３３に支持されている。【００３２】  以上のように本考案によれば、把持するハサミ部において、通常の手作業だけのハサミとほぼ同様の重さにて構成することができるため、頭上にある葡萄等の枝木の剪定作業に際し、手を上げた状態での長時間の作業も可能となり、腕が疲れ、肩こりなどの症状を軽減することができる。【００３３】  また、細い枝は、動力を使うことなく、手動だけで作業することができ、省電力化が図れる。【００３４】  さらに、太い枝については、動力を利用することができると共に、さらに人の握る力を加えることができ、小さな動力、例えば、電動モータの容量を低く抑えることができる。【００３５】  さらにまた、上記ハサミ部１には上記操作レバー７に関連付けてスイッチ２５が設けられており、操作レバー７を握りつつ、スイッチ２５を操作することにより、上記駆動部２を作動させ、伝達部３の連動部８、２８を介して可動刃６を作動させることができる。
【符号の説明】
【００３６】  １    ハサミ部
２    駆動部
３    伝達部
４    固定刃
５    ハサミ本体
６    可動刃
７    操作レバー
８    連動部
９    ワイヤー部
１４  支持部材
１５  ワイヤー
２０  電動モータ
２５  スイッチ
【図１】
0003153170.tif 000003
【図２】
0003153170.tif 000004
【図３】
0003153170.tif 000005
【図４】
0003153170.tif 000006